(57)【要約】【課題】  ノイズ等の影響によりライン構成が異常となった映像信号を認識し、正常な映像信号の転送処理に復帰することを可能とする映像信号処理方法及び映像信号処理装置を提供する。【解決手段】  映像信号のアクティブ映像領域のタイミングを検出し、前記アクティブ映像領域の映像信号のラインデータをメモリへ書き込む映像書き込み制御手段と、前記メモリへ書き込むアクティブ映像領域の映像信号の最後に最終ラインデータを付加する最終ラインデータ付加手段と、前記メモリから前記アクティブ映像領域の映像信号のラインデータ及び前記最終ラインデータを読み出す映像読み出し制御手段とを備えた構成において、前記映像読み出し制御手段は、更に、前記最終ラインデータに基づいて、前記映像信号のライン構成が異常か否かを判定し、異常の場合は前記映像書き込み制御手段を初期化する。【選択図】  図１
2005311554.tif 000002
【特許請求の範囲】
【請求項１】
映像信号のアクティブ映像領域のタイミングを検出し、前記アクティブ映像領域の映像信号のラインデータをメモリへ書き込む映像書き込みステップと、
前記メモリへ書き込むアクティブ映像領域の映像信号の最後に最終ラインデータを付加する最終ラインデータ付加ステップと、
前記メモリから前記アクティブ映像領域の映像信号のラインデータ及び前記最終ラインデータを読み出す映像読み出しステップとを有し、
前記映像読み出しステップは、更に、前記最終ラインデータに基づいて、前記映像信号のライン構成が異常か否かを判定し、異常の場合は前記映像書き込み制御ステップを初期化することを特徴とする映像信号処理方法。
【請求項２】
映像信号のアクティブ映像領域のタイミングを検出し、前記アクティブ映像領域の映像信号のラインデータをメモリへ書き込む映像書き込み制御手段と、
前記メモリへ書き込むアクティブ映像領域の映像信号の最後に最終ラインデータを付加する最終ラインデータ付加手段と、
前記メモリから前記アクティブ映像領域の映像信号のラインデータ及び前記最終ラインデータを読み出す映像読み出し制御手段とを備え、
前記映像読み出し制御手段は、更に、前記最終ラインデータに基づいて、前記映像信号のライン構成が異常か否かを判定し、異常の場合は前記映像書き込み制御手段を初期化することを特徴とする映像信号処理装置。
【発明の詳細な説明】
【技術分野】
【０００１】
本発明は、映像信号の転送処理を行う映像信号処理方法及び映像信号処理装置に関し、特に、ノイズ等の影響によりライン構成が異常となった映像信号を認識し、正常な映像信号の転送処理に復帰することを可能とする映像信号処理方法及び映像信号処理装置に関する。
【背景技術】
【０００２】
近年、画像圧縮技術の向上により、低ビットレートで高画質の動画像を伝送することが可能になっている。特にMPEG-4等の画像圧縮技術を用いて圧縮符号化された動画像の配信は、低容量の伝送路であっても高画質の動画像の伝送が可能であるため、監視システムなどに広く用いられている（例えば、特許文献１参照）。
【０００３】
図３には、画像伝送システムの構成例を示してある。
図３に示される画像伝送システムは、カメラ３−１と、エンコーダ３−６と、ネットワーク網３−７と、デコーダ３−１２と、モニタ３−１３から構成されている。また、エンコーダ３−６は、Ａ／Ｄ変換部３−２と、転送処理部３−３と、圧縮部３−４と、ＬＡＮ制御部３−５から構成され、デコーダ３−１２は、ＬＡＮ制御部３−８と、伸張部３−９と、転送処理部３−１０と、Ｄ／Ａ変換部３−１１から構成されている。
【０００４】
図３に示される画像伝送システムにおいて、カメラ３−１は、撮影した画像のアナログ映像信号をエンコーダ３−６のＡ／Ｄ変換部３−２に出力する。Ａ／Ｄ変換部３−２は、カメラ３−１から入力されるアナログ映像信号をＡ／Ｄ変換し、デジタル映像信号を生成して転送処理部３−３に出力する。転送処理部３−３は入力されたデジタル映像信号を圧縮部３−４へ出力する。なお、転送処理部３−３の詳細は後述する。圧縮部３−４は入力されたデジタル映像信号を圧縮して圧縮データを生成し、ＬＡＮ制御部３−５に出力する。ＬＡＮ制御部３−５は圧縮データにネットワークプロトコル等を多重したネットワークデータをネットワーク網３−７に配信する。
【０００５】
デコーダ３−１２のＬＡＮ制御部３−８は、エンコーダ３−６から配信されたネットワークデータをネットワーク網３−７を介して受信すると、ネットワークデータから圧縮データを分離し、圧縮データを伸張部３−９に出力する。伸張部３−９は、入力された圧縮データを伸張してデジタル映像信号を生成し、転送処理部３−１０に出力する。転送処理部３−１０は、受信したデジタル映像信号をＤ／Ａ変換部３−１１に出力する。Ｄ／Ａ変換部３−１１は、入力されたデジタル映像信号をＤ／Ａ変換してアナログ映像信号を生成し、モニタ３−１３に出力する。
【０００６】
ここで、エンコーダ３−６は、例えば、図４に示されるような構成を有している。なお、ここでは、本発明の実施例に係るエンコーダを限定する意図は全く無い。
図４に示されるエンコーダ３−６においては、ラインメモリ部３−３１と、書き込み制御部３−３２と、割り込み生成部３−３３により上述した図３の転送処理部３−３が構成されている。その他の構成は、図３に示した構成と同様である。
【０００７】
図４に示したエンコーダ３−６において、Ａ／Ｄ変換部３−２は、カメラ３−１から入力されるアナログ映像信号４−１をＡ／Ｄ変換して得られたデジタル映像信号４−１０、Ｈｓｙｎｃ信号（水平同期信号）４−１３、及び、Ｖｓｙｎｃ（垂直同期信号）信号４−１４と、デジタル映像信号４−１０に同期したクロック信号４−１１を出力する。書き込み制御部３−３２は、クロック信号４−１１を基準にＨｓｙｎｃ信号４−１３とＶｓｙｎｃ信号４−１４からアクティブ映像領域のタイミングを検出して書き込み信号４−１２をラインメモリ部３−３１に出力する。ここで、ＮＴＳＣ信号の場合、１フレームに５２５ライン分の映像信号が存在し、アクティブ映像領域とは、１フレーム分の映像信号の５２５ラインに存在するブランキング領域等を除いた４８０ラインのことを言う。ラインメモリ部３−３１は、書き込み信号４−１２が入力されるとクロック信号４−１１を基準に１ライン分のデジタル映像信号４−１０を蓄積する。書き込み制御部３−３２は、書き込み信号４−１２によりラインメモリ部３−３１が１ライン分のデジタル映像信号４−１０（ラインデータ）の蓄積を終えると、アクティブ映像タイミング信号４−１５を割り込み生成部３−３３に出力する。また、書き込み制御部３−３２は、デジタル映像信号４−１０に同期したクロック信号４−１６を割り込み生成部３−３３に出力する。
【０００８】
割り込み生成部３−３３は、アクティブ映像タイミング信号４−１５が入力されると、クロック信号４−１６を基準に割り込み信号４−２０を生成して圧縮部３−４に出力する。圧縮部３−４は、割り込み信号４−２０を受信すると、読み出しクロック信号４−１８と読み出し信号４−１９をラインメモリ部３−３１に出力し、ラインメモリ部３−３１に蓄積された１ライン分のデジタル映像信号４−１７を読み出す。以上の動作を繰り返し、１フレーム分のアクティブ映像領域のデジタル映像信号４−１７の読み出しを終えると、圧縮部３−４は、１フレーム分のアクティブ映像領域のデジタル映像信号４−１７を圧縮して圧縮データを生成する。なお、圧縮部３−４は、エンコーダ３−６の動作開始時に、リセット信号４−４０を書き込み制御部３−３２に出力し、転送処理部３−３の初期化を行う。ＬＡＮ制御部３−５は、読み出し信号４−２２に従い圧縮データ４−２１を読み出し、ネットワークプロトコル等を多重したネットワークデータ４−２３をネットワーク網３−７に配信する。
【０００９】
図５には、映像信号の読み出しに関するタイムチャートの一例を示してある。
図５に示すように、Ａ／Ｄ変換部３−２が出力するＶｓｙｎｃ信号４−１４は１フレーム（例えば、５２５ライン）単位に発生する信号である（図５（Ａ））。また、Ａ／Ｄ変換部３−２が出力するＨｓｙｎｃ信号４−１３は１ライン単位に発生する信号である（図５（Ｂ））。書き込み制御部３−３２は、Ｈｓｙｎｃ信号４−１３とＶｓｙｎｃ信号４−１４から５２５ライン中に存在する４８０ラインのアクティブ映像領域のタイミングを示す書き込み信号４−１２を生成しラインメモリ部３−３１に出力することで、アクティブ映像がラインメモリ部３−３１に書き込まれる。一方、割り込み生成部３−３３は、上記アクティブ映像領域のタイミングを示す信号４−１５と同期信号４−１６を基準に割り込み信号４−２０を生成し圧縮部３−４に出力する（図５（Ｃ））。圧縮部３−４は、割り込み信号４−２０を受信するとラインメモリ部３−３１から１ライン分のラインデータを読み出す（図５（Ｄ））。圧縮部３−４は、１フレーム期間にアクティブ映像である４８０ライン分、即ち、４８０回の割り込みを受信し、ラインメモリ部３−３１からラインデータを読み出すことを繰り返す。これにより、１フレーム毎にアクティブ映像５−１や５−２の読み出しが行われる。なお、図５（Ｂ）、（Ｃ）、（Ｄ）では、信号をそれぞれ長方形枠で表しているが、実際には枠内の数字が示すパルスの集まりである（後述する図７、図８についても同様である。）。
【００１０】
図６には、圧縮部３−４の映像信号の読み出しのフローチャートの一例を示してある。まず、圧縮部３−４は、リセット信号４−４０を出力し、転送処理部３−３の初期化（システムリセット）を行う（ステップＳ６０１）。次に、圧縮部３−４は、割り込み信号４−２０に基づき、ラインメモリ部３−３１より１ライン分のラインデータを読み出す（ステップＳ６０２）。次に、圧縮部３−４は、４８０ライン分のラインデータの読み出しを完了したか否かを判定し（ステップＳ６０３）、完了していなければステップＳ６０２へ戻り、ラインデータの読み出しを続ける。一方、圧縮部３−４は、４８０ライン分のラインデータを読み出しが完了している場合には、圧縮処理を行い、１フレーム分のアクティブ映像の圧縮データを生成する（ステップＳ６０４）。圧縮処理が終わるとステップＳ６０２へ戻り、以下、圧縮部３−４は、次のフレームの映像信号に対して同様の処理を繰り返す。
【００１１】
ここで、割り込み生成部３−３３から出力される信号にノイズ等が重畳された結果、圧縮部３−４では本来は割り込み信号ではない信号を割り込み信号であると誤認識してしまう場合がある。このような場合、割り込みとアクティブ映像の同期が乱れて映像信号の読み出し異常が発生し、上述した図６のステップＳ６０３における読み出し回数の判定も正しく行われなくなる。
【００１２】
図７には、映像信号の読み出し異常時のタイムチャートを示してある。
圧縮部３−４は、１フレーム分のアクティブ映像の読み出しの完了を割り込み信号４−２０の割り込み回数により認識している（図７（Ｅ））。従って、正常時であれば１フレーム分のアクティブ映像については４８０回である割り込み回数がノイズ等の影響により異なる回数となって認識される場合、例えば、図７に示すように、４８３回（異常により誤認識した割り込み３回を含む）と仮定した場合には（図７（Ｃ））、アクティブ映像７−１の最後の３ライン分が、次のフレームのアクティブ映像７−２の先頭に発生することになる。以後、圧縮部３−４はライン構成が異常となったアクティブ映像（異常になった割り込み回数分、縦方向にラインがずれた映像）を圧縮データとして出力し続けることになり、正常な映像に復帰することはない。
【特許文献１】特開２００３−２８４０４４号公報
【発明の開示】
【発明が解決しようとする課題】
【００１３】
上記のように、各フレームにおけるアクティブ映像の読み出しの完了はライン単位で発生する割り込みの回数で認識される。正常時においては、各フレームの割り込み回数は４８０回である。したがって、割り込みにノイズ等の影響により異常が発生し、一度でも１フレーム分のアクティブ映像の割り込み回数が４８０回ではなくなると、以後受信したアクティブ映像のライン構成は異常となる。その後、図４に示したような構成の装置では、ライン構成が異常な映像のまま動作が継続されることになり、正常な映像の転送処理を行えないといった問題があった。
【００１４】
本発明は、このような従来の事情に鑑み為されたもので、例えば、ノイズ等の影響によりライン構成が異常となった映像信号を認識し、正常な映像信号の転送処理に復帰することを可能とする映像信号処理方法及び映像信号処理装置を提供することを目的とする。
【課題を解決するための手段】
【００１５】
上記目的を達成するため、本例に係る映像信号処理方法では、映像信号のアクティブ映像領域のタイミングを検出し、前記アクティブ映像領域の映像信号のラインデータをメモリへ書き込む映像書き込みステップと、前記メモリへ書き込むアクティブ映像領域の映像信号の最後に最終ラインデータを付加する最終ラインデータ付加ステップと、前記メモリから前記アクティブ映像領域の映像信号のラインデータ及び前記最終ラインデータを読み出す映像読み出しステップとを有した構成において、次のような処理を行う。即ち、前記映像読み出しステップは、更に、前記最終ラインデータに基づいて、前記映像信号のライン構成が異常か否かを判定し、異常の場合は前記映像書き込み制御ステップを初期化する。
【００１６】
ここで、映像信号のラインデータをメモリへ書き込む態様としては、種々なものが用いられてもよく、例えば、１ライン毎、或いは、複数ライン毎にメモリへ書き込むといった態様を用いることができる。また、映像信号のラインデータをメモリから読み出す態様としては、種々なものが用いられてもよく、例えば、１ライン毎、或いは、複数ライン毎にメモリから読み出すといった態様を用いることができる。また、最終ラインデータとしては、種々なものが用いられてもよい。
【００１７】
また、上記目的を達成するため、本例に係る映像信号処理装置では、映像信号のアクティブ映像領域のタイミングを検出し、前記アクティブ映像領域の映像信号のラインデータをメモリへ書き込む映像書き込み制御手段と、前記メモリへ書き込むアクティブ映像領域の映像信号の最後に最終ラインデータを付加する最終ラインデータ付加手段と、前記メモリから前記アクティブ映像領域の映像信号のラインデータ及び前記最終ラインデータを読み出す映像読み出し制御手段とを備えた構成において、次のような処理を行う。即ち、前記映像読み出し制御手段は、更に、前記最終ラインデータに基づいて、前記映像信号のライン構成が異常か否かを判定し、異常の場合は前記映像書き込み制御手段を初期化する。
【発明の効果】
【００１８】
本発明に係る映像信号処理方法及び映像信号処理装置によると、例えば、各フレームのアクティブ映像領域の最終ラインに終了データを付加するようにしたため、ノイズ等の影響によりライン構成が異常となった映像信号を認識し、正常な映像信号の転送処理に復帰することが可能である。
【発明を実施するための最良の形態】
【００１９】
以下、本発明の実施の形態について、図面を参照しながら説明する。
本発明の一実施例に係るエンコーダ（映像信号処理装置）が設置された画像伝送システムの構成例は、図３に示したような構成と同様である。なお、エンコーダ３−６については、新しい機能を有しているため、以下では、エンコーダ１−６と称して説明を行う。
【００２０】
図１には、本発明の一実施例に係るエンコーダ１−６の構成例を示してある。
図１に示されるエンコーダ１−６は、Ａ／Ｄ変換部１−２と、ラインメモリ部１−３１と、書き込み制御部１−３２と、割り込み生成部１−３３と、終了データ生成部１−３４と、セレクタ１−３５と、圧縮部１−４と、ＬＡＮ制御部１−５から構成されている。
【００２１】
図１に示したエンコーダ１−６において、Ａ／Ｄ変換部１−２は、カメラ３−１から入力されるアナログ映像信号１−１をＡ／Ｄ変換して得られたデジタル映像信号１−１０、Ｈｓｙｎｃ信号１−１３、及び、Ｖｓｙｎｃ信号１−１４と、デジタル映像信号１−１０に同期したクロック信号１−１１を出力する。書き込み制御部１−３２は、クロック信号１−１１を基準にＨｓｙｎｃ信号１−１３とＶｓｙｎｃ信号１−１４からアクティブ映像領域のタイミングを検出して書き込み信号１−１２をラインメモリ部１−３１に出力する。ここで、書き込み制御部１−３２は、１フレームのアクティブ映像である４８０ラインに加え、最後に１ライン付加した計４８１ライン分の書き込み信号１−１２を出力する。即ち、書き込み制御部１−３２はアクティブ映像領域のライン数をカウントするカウンターの数値が４８０となった場合には、更に１ライン分の書き込み信号１−１２を出力すると共に、セレクタ１−３５に切り替え信号１−４３を出力する。
【００２２】
セレクタ１−３５は、書き込み制御部１−３２から受信した切り替え信号１−４３に基づき選択を切り替えることで、アクティブ映像である４８０ライン分のタイミング時にはデジタル映像信号１−１０を選択し、４８１ライン目のタイミング時には終了データ生成部１−３４が出力する終了データ１−４１を選択する。そして、セレクタ１−３５は、セレクトデータ１−４２としてデジタル映像信号１−１０又は終了データ１−４１をラインメモリ部１−３１に出力する。ラインメモリ部１−３１は、書き込み信号１−１２が入力されるとクロック信号１−１１を基準にセレクトデータ１−４２を蓄積する。書き込み制御部１−３２は、書き込み信号１−１２によりラインメモリ部１−３１がセレクトデータ１−４２、即ち１ライン分のデジタル映像信号１−１０又は終了データ１−４１の蓄積を終えると、タイミング信号（アクティブ映像及び最後の１ライン（４８１ライン目）のタイミング信号）１−１５を割り込み生成部１−３３に出力する。また、書き込み制御部１−３２は、デジタル映像信号１−１０に同期したクロック信号１−１６を割り込み生成部１−３３に出力する。
【００２３】
割り込み生成部１−３３は、アクティブ映像及び最後の１ラインのタイミング信号１−１５が入力されるとクロック信号１−１６を基準に割り込み信号１−２０を生成して圧縮部１−４に出力する。圧縮部１−４は、割り込み信号１−２０を受信すると、読み出しクロック信号１−１８と読み出し信号１−１９をラインメモリ部１−３１に出力し、ラインメモリ部１−３１に蓄積された１ライン分のデジタル映像信号（ラインデータ）１−１７を読み出す。
【００２４】
ここで、図２には、本発明の一実施例に係る圧縮部１−４の映像信号の読み出しのフローチャートの一例を示してある。まず、圧縮部１−４は、リセット信号１−４０を出力し、書き込み制御部１−３２等の初期化（システムリセット）を行う（ステップＳ２０１）。次に、圧縮部１−４は、割り込み信号１−２０に基づき、ラインメモリ部１−３１より１ライン分のラインデータを読み出す（ステップＳ２０２）。次に、圧縮部１−４は、４８０ライン分のラインデータの読み出しを完了したか否かを判定し（ステップＳ２０３）、完了していなければステップＳ２０２へ戻り、ラインデータの読み出しを続ける。一方、圧縮部１−４は、４８０ライン分のラインデータを読み出しが完了している場合には、次のラインデータ、即ち４８１ライン目のデータが終了データであるか否かを判定する（ステップＳ２０４）。一例として、終了データ生成部１−３４は、デジタル映像信号の値としては規格外の値を終了データ１−４１として設定することで、圧縮部１−４においては、４８１ライン目のデータが終了データ１−４１なのか、デジタル映像信号なのかの判定が可能となる。そして、圧縮部１−４は、４８１ライン目のデータが終了データである場合は、アクティブ映像のライン構成は正常の状態であると判断し、ステップ２０５に進み、圧縮処理を行い、１フレーム分のアクティブ映像の圧縮データを生成する（ステップＳ２０５）。圧縮処理が終わるとステップＳ２０２へ戻る。
【００２５】
一方、圧縮部１−４は、４８１ライン目のデータが終了データでない場合は、ノイズ等の影響によりアクティブ映像のライン構成は異常な状態であると判断し、ステップ２０１へ戻り、リセット信号１−４０を出力し、書き込み制御部１−３２等の初期化を行う。また、この際、ライン構成が異常なアクティブ映像の破棄等、圧縮部１−４自体の初期化も行う。以下、圧縮部１−４は、次のフレームの映像信号に対して上記と同様の処理を繰り返す。
【００２６】
図８には、本発明の一実施例に係る映像信号の読み出しに関するタイムチャートの一例を示してある。図８に示すように、Ａ／Ｄ変換部１−２が出力するＶｓｙｎｃ信号１−１４は１フレーム単位に発生する信号である（図８（Ａ））。また、Ａ／Ｄ変換部１−２が出力するＨｓｙｎｃ信号１−１３は１ライン単位に発生する信号である（図８（Ｂ））。ここでは、１フレームには５２５ライン分の映像信号が存在し、そのうちのブランキング領域等を除いた４８０ラインをアクティブ映像領域として説明している。書き込み制御部１−３２は、Ｈｓｙｎｃ信号１−１３とＶｓｙｎｃ信号１−１４から５２５ライン中に存在する４８０ラインのアクティブ映像領域のタイミングと、最後に付加する４８１ライン目のタイミングで書き込み信号１−１２を生成しラインメモリ部１−３１に出力することで、アクティブ映像及び終了データがラインメモリ部１−３１に書き込まれる。
【００２７】
一方、割り込み生成部１−３３は、上記アクティブ映像及び最後の１ラインのタイミングを示す信号１−１５と同期信号１−１６を基準に割り込み信号１−２０を生成し圧縮部１−４に出力する（図８（Ｃ））。圧縮部１−４は、割り込み信号１−２０を受信するとラインメモリ部１−３１から１ライン分のラインデータを読み出し、４８０ラインのアクティブ映像と最終ラインである４８１ライン目のデータを読み出す（図８（Ｄ））。ここで、圧縮部１−４では、読み出したラインデータの最後の４８１ライン目のデータが終了データであるか否かを判定し、終了データであれば読み出したアクティブ映像８−１はライン構成が正常な映像であると判断し（図８（Ｅ））、アクティブ映像８−１の圧縮処理を行う。もしノイズ等の影響により割り込みの異常が発生し４８１ライン目のデータが終了データでない場合は、読み出したアクティブ映像８−２はライン構成が異常な映像であると判断し（図８（Ｅ））、アクティブ映像８−２の圧縮処理は行わず、リセット信号１−４０を書き込み制御信号１−３２に出力して書き込み制御部１−３２等の初期化を行う。
【００２８】
なお、図１において、ＬＡＮ制御部１−５は、読み出し信号１−２２に従い圧縮データ１−２１を読み出し、ネットワークプロトコル等を多重したネットワークデータ１−２３をネットワーク網３−７に配信する。
【００２９】
以上のように、本例の映像信号処理装置１−６では、映像信号におけるアクティブ映像領域のラインデータをラインメモリ部１−３１を介して圧縮部１−４に転送する構成において、メモリ書き込み側である書き込み制御部１−３２は、１フレーム毎にラインメモリ部１−３１に対して行う動作において、アクティブ映像領域のラインデータ（４８０ライン分のデータ）を書き込み、次にアクティブ映像領域のラインデータの書き込み終了を示す終了データ（１ライン分のデータ）を書き込むように制御を行う。また、割り込み生成部１−３３は、上記書き込みを行ったライン数分、即ち、４８１の割り込みをメモリ読み出し側である圧縮部１−４に送信する。
【００３０】
そして、メモリ読み出し側である圧縮部１−４は、上記割り込みを受信した場合、ラインメモリ部１−３１からデータを読み出し、４８１ライン目の割り込みで読み出したデータが終了データであるか否かを判断し、終了データであれば、直前に読み出したアクティブ映像領域のラインデータのライン構成は正常であると判断して上記動作を継続する。一方、４８１ライン目の割り込みで読み出したデータが終了データでなければ、直前に読み出したアクティブ映像領域のラインデータのライン構成は異常であると判断し、メモリ書き込み側及びメモリ読み出し側を初期化した後、上記動作を再度行うようにする。
【００３１】
従って、本実施例に係る映像信号処理方法及び映像信号処理装置では、ノイズ等の影響によりライン構成が異常となったアクティブ映像領域のラインデータの転送状態を認識し、アクティブ映像領域のラインデータの転送状態に復帰することができる。
【００３２】
ここで、本例では、１ライン毎にラインメモリ部１−３１に対するデジタル映像信号の書き込み、及び、読み出しを行う構成を示したが、他の構成例として、例えば、２ライン等、複数ライン毎にラインメモリ部１−３１に対するデジタル映像信号の書き込み、及び、読み出しを行うような構成が用いられてもよい。
【００３３】
なお、本例の映像信号処理装置１−６では、書き込み制御部１−３２の機能により映像書き込み制御手段が構成されており、終了データ生成部１−３４やセレクタ１−３５の機能により最終ラインデータ付加手段が構成されており、圧縮部１−４や割り込み生成部１−３３の機能により映像読み出し制御手段が構成されている。
【００３４】
ここで、本発明に係る映像信号処理装置や画像伝送システムなどの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
【００３５】
また、本発明の適用分野としては、必ずしも以上に示したものに限られず、本発明は、種々な分野に適用することが可能なものである。例えば、本発明に係る映像信号処理装置は、上述したエンコーダ以外の装置としても実現可能なものである。
【００３６】
また、本発明に係る映像信号処理装置や画像伝送システムなどにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
【００３７】
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３８】
【図１】本発明の一実施例に係る映像信号処理装置の構成例を示す図である。
【図２】本発明の一実施例に係る映像信号の読み出し処理の手順の一例を示す図である。
【図３】画像伝送システムの構成例を示す図である。
【図４】映像信号処理装置の構成例を示す図である。
【図５】映像信号の読み出しに関するタイムチャートを示す図である。
【図６】映像信号の読み出し処理の手順の一例を示す図である。
【図７】映像信号の読み出し異常時のタイムチャートを示す図である。
【図８】本発明の一実施例に係る映像信号の読み出しに関するタイムチャートを示す図である。
【符号の説明】
【００３９】
１−１：アナログ映像信号、１−２：Ａ／Ｄ変換部、１−３１：ラインメモリ部、１−３２：書き込み制御部、１−３３：割り込み生成部、１−３４：終了データ生成部、１−３５：セレクタ、１−４：圧縮部、１−５：ＬＡＮ制御部、１−６：エンコーダ、１−１０：デジタル映像信号、１−１１：クロック信号、１−１２：書き込み信号、１−１３：Ｈｓｙｎｃ信号、１−１４：Ｖｓｙｎｃ信号、１−１５：アクティブ映像及び最後の１ラインのタイミング信号、１−１６：クロック信号、１−１７：デジタル映像信号、１−１８：読み出しクロック信号、１−１９：読み出し信号、１−２０：割り込み信号、１−２１：圧縮データ、１−２２：読み出し信号、１−２３：ネットワークデータ、１−４０：リセット信号、１−４１：終了データ、１−４２：セレクトデータ、１−４３：切り替え信号、３−７：ネットワーク網
【図１】
2005311554.tif 000003
【図２】
2005311554.tif 000004
【図３】
2005311554.tif 000005
【図４】
2005311554.tif 000006
【図５】
2005311554.tif 000007
【図６】
2005311554.tif 000008
【図７】
2005311554.tif 000009
【図８】
2005311554.tif 000010